(57)【特許請求の範囲】
【請求項１】
複数の通信手段と、
電源電圧を監視する電源監視手段と、
前記電源監視手段の監視結果に基づいて、複数の前記通信手段のうち、一部の通信手段に対する電力の供給を停止する電力管理手段と、
前記通信手段に供給可能な電力を蓄える蓄電手段と、
優先順位が対応付けられた複数の前記通信手段の動作状態を予め記憶する記憶手段と
を備え、
前記電力管理手段は、
前記電源監視手段の監視結果に基づいて、複数の前記通信手段のうち、特定の通信手段に対して前記蓄電手段から電力を供給し、その他の通信手段に対する電力の供給を停止し、
前記通信手段の動作状態に対応する前記優先順位に基づいて、前記蓄電手段から電力を供給する前記通信手段を決定し、
前記通信手段の動作状態が変化した場合、変化前後の前記通信手段の動作の前記優先順位に基づいて、前記蓄電手段から電力を供給する前記通信手段を決定する
通信装置。
【請求項２】
複数の通信手段と、
電源電圧を監視する電源監視手段と、
前記電源監視手段の監視結果に基づいて、複数の前記通信手段のうち、一部の通信手段に対する電力の供給を停止する電力管理手段と、
前記通信手段に供給可能な電力を蓄える蓄電手段と
を備え、
前記電力管理手段は、
前記電源監視手段の監視結果に基づいて、複数の前記通信手段のうち、特定の通信手段に対して前記蓄電手段から電力を供給し、その他の通信手段に対する電力の供給を停止し、
前記通信手段が予め設定された時間だけ動作するために必要な電力量と、前記蓄電手段に蓄電された電力量と、に基づいて、前記蓄電手段から電力を供給する前記通信手段を決定する
通信装置。
【請求項３】
優先順位が対応付けられた複数の前記通信手段の動作状態を予め記憶する記憶手段をさらに備え、
前記電力管理手段は、前記通信手段の動作状態に対応する前記優先順位に基づいて、前記蓄電手段から電力を供給する前記通信手段を決定する請求項２に記載の通信装置。
【請求項４】
前記電力管理手段は、前記通信手段の動作状態が変化した場合、変化前後の前記通信手段の動作の前記優先順位に基づいて、前記蓄電手段から電力を供給する前記通信手段を決定する請求項３に記載の通信装置。
【請求項５】
前記電力管理手段は、前記電源監視手段が前記電源電圧の瞬断を検出した場合、一部の通信手段に対する電力の供給を停止する請求項１乃至４のいずれか１項に記載の通信装置。
【請求項６】
前記電力管理手段は、複数の前記通信手段の動作状態に基づいて、前記電力の供給を停止する、請求項１乃至５のいずれか１項に記載の通信装置。
【請求項７】
複数の通信手段を備える通信装置の電力制御方法であって、
前記通信装置の電源電圧を監視する監視ステップと、
前記監視結果に基づいて、複数の前記通信手段のうち、一部の通信手段に対する電力の供給を停止する電力管理ステップと、
前記通信手段に供給可能な電力を蓄電手段に蓄える蓄電ステップと、
優先順位が対応付けられた複数の前記通信手段の動作状態を記憶手段に予め記憶する記憶ステップと
を備え、
前記電力管理ステップは、
前記監視結果に基づいて、複数の前記通信手段のうち、特定の通信手段に対して前記蓄電手段から電力を供給し、その他の通信手段に対する電力の供給を停止し、
前記通信手段の動作状態に対応する前記優先順位に基づいて、前記蓄電手段から電力を供給する前記通信手段を決定し、
前記通信手段の動作状態が変化した場合、変化前後の前記通信手段の動作の前記優先順位に基づいて、前記蓄電手段から電力を供給する前記通信手段を決定する
電力制御方法。
【請求項８】
複数の通信手段を備える通信装置の電力制御方法であって、
前記通信装置の電源電圧を監視する監視ステップと、
前記監視結果に基づいて、複数の前記通信手段のうち、一部の通信手段に対する電力の供給を停止する電力管理ステップと、
前記通信手段に供給可能な電力を蓄電手段に蓄える蓄電ステップと、
を備え、
前記電力管理ステップは、
前記監視結果に基づいて、複数の前記通信手段のうち、特定の通信手段に対して前記蓄電手段から電力を供給し、その他の通信手段に対する電力の供給を停止し、
前記通信手段が予め設定された時間だけ動作するために必要な電力量と、前記蓄電手段に蓄電された電力量と、に基づいて、前記蓄電手段から電力を供給する前記通信手段を決定する
電力制御方法。
【発明の詳細な説明】
【技術分野】
【０００１】
本発明は通信装置及び電力制御方法に関する。
【背景技術】
【０００２】
電池などの停電対策を持たない通信装置は、極めて短時間の電源供給停止である瞬時停電（以下、瞬断と称す）の対策として、通信装置内に大容量のコンデンサ等の容量を持つ部品を実装している。そして、通信装置は、コンデンサ等に溜まった電力を用いて、瞬断等の非常時における動作可能時間を延ばしている。
【０００３】
例えば、特許文献１には、航空機の瞬断時において一定電圧を供給するためのバックアップコンデンサを用いた定電圧回路が開示されている。
【先行技術文献】
【特許文献】
【０００４】
【特許文献１】特開２００７−２４４１０９号公報
【発明の概要】
【発明が解決しようとする課題】
【０００５】
しかしながら、消費電力が大きい通信装置は、コンデンサ容量では極めて短時間しか動作を継続することができない。一方、通信装置内のコンデンサの容量を大きくすることによって動作可能時間を延ばすことが可能であるが、容量の大きなコンデンサは、価格が高価であったり、サイズが大きくなったりするため、通信装置の低コスト化や小型化が困難となる。
【０００６】
本発明は、このような問題を解決するためになされたものであり、低容量の蓄電部を用いて、停電時の動作時間を延ばすことができる通信装置及び電力制御方法を提供することを目的としている。
【課題を解決するための手段】
【０００７】
本発明にかかる通信装置は、複数の通信手段と、電源電圧を監視する電源監視手段と、前記電源監視手段の監視結果に基づいて、複数の前記通信手段のうち、一部の通信手段に対する電力の供給を停止する電力管理手段と、を備えるものである。
【０００８】
本発明にかかる電力制御方法は、複数の通信手段を備える通信装置の電力制御方法であって、前記通信装置の電源電圧を監視するステップと、監視結果に基づいて、複数の前記通信手段のうち、一部の通信手段に対する電力の供給を停止するステップと、を備えるものである。
【発明の効果】
【０００９】
本発明により、低容量の蓄電部を用いて、停電時の動作時間を延ばすことができる通信装置及び電力制御方法を提供することができる。
【図面の簡単な説明】
【００１０】
【図１】実施の形態１にかかる通信装置のブロック図である。
【図２】実施の形態２にかかる通信装置のブロック図である。
【図３】実施の形態２にかかる通信装置の具体的な構成を示す図である。
【図４】実施の形態２にかかる優先動作と優先順位とが対応付けられたテーブルを示す図である。
【図５】実施の形態２にかかる通信装置の動作を示すフローチャートである。
【図６】実施の形態２にかかる通信装置の動作を説明するための各信号を示す図である。
【図７】実施の形態２にかかる通信装置の動作を説明するための各信号を示す図である。
【図８】実施の形態２にかかる通信装置の動作を説明するための各信号を示す図である。
【図９】実施の形態２にかかる通信装置の動作可能時間と比較例にかかる通信装置の動作可能時間を示す図である。
【図１０】実施の形態３にかかる通信装置の各通信機能部が消費する容量を示すテーブルである。
【図１１】実施の形態３にかかる通信装置が消費する容量の合計を説明するための図である。
【発明を実施するための形態】
【００１１】
＜実施の形態１＞
以下、図面を参照して本発明の実施の形態について説明する。本実施の形態にかかる通信装置１の構成を図１に示す。通信装置１００は、複数の通信機器と接続可能な装置である。なお、通信方法については、有線通信であってもよいし、無線通信であってもよい。通信装置１００は、例えば、無線ルータやホームゲートウェイ（ＨＧＷ）等である。通信装置１００は、複数の通信機能部１０１ａ、１０１ｂと、電力管理部１０２と、電源監視部１０３と、蓄電部１０４と、を備える。なお、図面の太線は電力供給線であり、細線は信号線である。
【００１２】
通信機能部（通信手段）１０１ａ、１０１ｂは、通信装置１００外部の通信機器と接続し、通信装置１００と通信機器と間で情報の送受信を行う。例えば、通信機能部１０１ａ、１０１ｂは、外部通信機器とのインターフェースであり、無線ＬＡＮ（Local Area Network）のアンテナやＬＡＮケーブルの接続部、ＩＰ電話の電話線の接続部等である。通信機能部１０１ａ、１０１ｂは、電力の供給を受けて動作する。
【００１３】
電力管理部１０２は、外部電源と接続され、電力の供給を受ける。また、電力管理部１０２は、蓄電部１０４と接続される。電力管理部１０２は、電源監視部１０３の監視結果に基づいて、複数の通信機能部１０１ａ、１０１ｂのうち、一部の通信機能部に対する電力の供給を停止する。
【００１４】
電源監視部１０３は、外部電源と接続され、電源電圧を監視する。電源監視部１０３は、電源電圧の降下を検出する。電源監視部１０３は、電源電圧の降下を検出した場合に、その旨を電力管理部１０２に出力する。電源電圧の降下の検出は、例えば、電源電圧が予め設定された閾値よりも低くなったことを検出することにより行ってもよい。また、電源電圧の供給が断たれたこと（瞬断）を検出することにより行ってもよい。なお、本明細書において、瞬断とは、電源電圧が所定値を下回ることや、商用電源からの電源供給が絶たれた場合に加えて、商用電源からの電源供給が絶たれた後、宅内蓄電システムからの電源供給がなされ、結果的に瞬間的な電源断状態となる状況も含まれる。
【００１５】
蓄電部１０４は、電力（電荷）を蓄える容量成分を有する素子であり、例えば、コンデンサ、キャパシタ、電池、ＨＥＭＳ（Home Energy Management System）等である。蓄電部１０４は、電力管理部１０２を介して、通信機能部１０１ａ、１０１ｂに対して、蓄えた電力を供給可能である。蓄電部１０４は、外部電源からの電力を蓄電する。
【００１６】
以上のように、本実施の形態にかかる通信装置１００の構成によれば、電力管理部１０２が、瞬断等により電源電圧の降下が検出された場合、一部の通信機能部への電力を停止する。言い換えると、電力管理部１０２は、電源監視部１０３が瞬断を検出した場合、複数の通信機能部１０１ａ、１０１ｂのうち、一部の通信機能部のみに蓄電部１０４から電力を供給する。つまり、通信装置１００は、瞬断時に、通信機能部１０１ａ、１０１ｂの全てを動作させない。このため、全ての通信機能部１０１ａ、１０１ｂを動作させる場合に比べて、瞬断中に通信装置１が消費する電力を抑えることができる。その結果、蓄電部１０４は、一部の通信機能部を動作可能な電力さえ蓄えられる容量であればよい。したがって、蓄電部１０４が必要とする容量を低減でき、通信装置１００は、低容量の蓄電部を用いて、瞬断時の通信機能部の動作時間を延ばすことができる。
【００１７】
＜実施の形態２＞
本発明にかかる実施の形態２について説明する。本実施の形態にかかる通信装置１のブロック図を図２に示す。通信装置１は、制御部１１と、メモリ１２と、電源制御部１３と、電源監視部１４と、電源スイッチ１５ａ、１５ｂと、通信機能部１６ａ、１６ｂと、コンデンサ１７と、を備える。なお、電源監視部１４は、図１の電源監視部１０３と同様であり、通信機能部１６ａ、１６ｂは、図１の通信機能部１０１ａ、１０１ｂと同様であり、コンデンサ１７は、図１の蓄電部１０４と同様である。
【００１８】
制御部１１は、予め記憶された制御プログラムに基づいて、通信装置１の各種動作を制御する。制御部１１は、メモリ１２を参照して、複数の通信機能部１６ａ、１６ｂのうち、瞬断時に電力を供給する通信機能部を決定する。制御部１１は、決定した通信機能部に電力が供給されるように、制御信号を電源制御部１３に出力する。
【００１９】
メモリ１２は、例えばＲＡＭ（Random Access Memory）や、ＲＯＭ（Read Only memory）等の記憶装置である。メモリ１２は、瞬断時にコンデンサ１７から電力が供給される特定の通信機能部を記憶する。
【００２０】
電源制御部１３は、制御部１１から出力された制御信号に基づいて、電力の供給を管理する。具体的には、制御部１１からの制御信号を用いて、電源スイッチ１５ａ、１５ｂのオンオフを制御する。
【００２１】
電源監視部１４は、外部電源の電源電圧の変化を監視する。そして、電源監視部１４は、電源電圧の瞬断を検出した場合、その旨の監視結果を電源制御部１３に通知する。
【００２２】
電源スイッチ１５ａは、一端が電源９０に接続され、他端が通信機能部１６ａに接続される。同様に、電源スイッチ１５ｂは、一端が電源９０に接続され、他端が通信機能部１６ｂに接続される。電源スイッチ１５ａ、１５ｂは、電源制御部１３の制御によって、オンオフを切り替える。
【００２３】
電源スイッチ１５ａがオンの場合、電源９０またはコンデンサ１７から通信機能部１６ａに電力が供給される。電源スイッチ１５ａがオフの場合、電源９０及びコンデンサ１７と、通信機能部１６ａと、の接続が解放（切断）されるため、通信機能部１６ａには電力が供給されない。つまり、通信機能部１６ａへの電力供給が停止する。電源スイッチ１５ｂと通信機能部１６ｂとの関係も上記と同様である。
【００２４】
通信機能部１６ａは、電源スイッチ１５ａを介して、電源９０から電力の供給を受ける。同様に、通信機能部１６ｂは、電源スイッチ１５ｂを介して、電源９０から電力の供給を受ける。
【００２５】
コンデンサ１７の一端は、電源スイッチ１５ａの一端及び電源スイッチ１５ｂの一端に接続されている。コンデンサ１７の他端は、グランドに接続されている。
【００２６】
次に、図３を参照して、通信装置１の一例の詳細な構成について説明する。図３に示した例においては、通信装置１は、４つの通信機能部を備える。具体的には、通信装置１は、通信機能部として、電話機能部１６ａと、無線通信機能部１６ｂと、ＬＡＮ機能部１６ｃと、ネットワーク接続部１６ｄと、を備える。
【００２７】
電話機能部１６ａは、例えば、電話線の接続部であり、固定電話やファクシミリ等の電話端末９１との通信を行う。無線通信機能部１６ｂは、無線通信を行うためのアンテナを有する通信部であり、例えば、ＩＥＥＥ８０２．１１等の無線規格により無線通信可能な無線子機９２との無線通信を行う。ＬＡＮ機能部１６ｃは、例えば、ＬＡＮケーブルの接続部であり、Ｅｒｈｅｒｎｅｔによる接続が可能なＰＣ等の通信端末９３と通信を行う。ネットワーク接続部１６ｄは、例えば、ＷＡＮ（Wide Area Network）側のケーブルの接続部であり、インターネット９４と接続される。
【００２８】
電源スイッチ１５ａ〜１５ｄの一端は、電源９０に接続されている。電源スイッチ１５ａの他端は、電話機能部１６ａに接続されている。電源スイッチ１５ｂの他端は、無線通信機能部１６ｂに接続されている。電源スイッチ１５ｃの他端は、ＬＡＮ機能部１６ｃに接続されている。電源スイッチ１５ｄの他端は、ネットワーク接続部１６ｄに接続されている。
【００２９】
電源制御部１３は、通信機能部に対応するＯＲ回路１３１ａ〜１３１ｄを有する。制御部１１は、ＯＲ回路１３１ａの第１の入力端子に、制御信号ａを供給する。制御部１１は、ＯＲ回路１３１ｂの第１の入力端子に、制御信号ｂを供給する。制御部１１は、ＯＲ回路１３１ｃの第１の入力端子に、制御信号ｃを供給する。制御部１１は、ＯＲ回路１３１ｄの第１の入力端子に、制御信号ｄを供給する。電源監視部１４は、ＯＲ回路１３１ａ〜１３１ｄの第２の入力端子に、瞬断検出信号を供給する。なお、瞬断検出信号とは、瞬断が発生したことを示す信号であり、具体的には、電源電圧の電圧が予め設定された電圧より低くなったことや電源電圧の供給が断たれたこと（瞬断）を示す信号である。
【００３０】
ＯＲ回路１３１ａは、電源スイッチ１５ａのオンオフを制御するための出力信号を、電源スイッチ１５ａに供給する。同様に、ＯＲ回路１３１ｂ〜１３１ｄは、電源スイッチ１５ｂ〜１５ｄのオンオフを制御するための出力信号を、電源スイッチ１５ｂ〜１５ｄに供給する。なお、ＯＲ回路１３１ａ〜１３１ｄと、電源スイッチ１５ａ〜１５ｄが、図１の電力管理部１０２に相当する。
【００３１】
ここで、メモリ１２に格納された優先動作及び優先順位を示すテーブルを図４に示す。図４に示したテーブルは、予め設定された優先動作と、当該優先動作に対応付けられた優先順位と、を格納する。なお、優先動作の欄には、当該優先動作に必要な通信機能部も格納されている。
【００３２】
例えば、優先順位が最も高い「優先順位１」の動作として、「電話機能部１６ａとネットワーク接続部１６ｄとの緊急通話」が割り当てられている。当該動作に必要な通信機能部は、電話機能部１６ａとネットワーク接続部１６ｄである。同様に、優先順位２の動作である緊急通話には、無線通信機能部１６ｂとネットワーク接続部１６ｄの動作が必要となる。
【００３３】
制御部１１は、通信装置１の現在の動作を確認し、優先動作が行われているか否かを判定する。具体的には、制御部１１は、各通信機能部（電話機能部１６ａ、無線通信機能部１６ｂ、ＬＡＮ機能部１６ｃ、及びネットワーク接続部１６ｄ）の現在の動作を確認して、メモリ１２に格納されたテーブルの動作を行っているか否かを判定する。通信装置１がメモリ１２に格納された動作を行っている場合、制御部１１は、当該優先動作に必要な通信機能部を、瞬断時に電力を供給する通信機能部として決定する。また、制御部１１は、優先動作に必要な通信機能部を動作させる制御信号を、電源制御部１３に出力する。
【００３４】
具体的には、制御部１１は、優先動作を行うために必要な通信機能部に対応するＯＲ回路に対して、“１”の制御信号を出力する。一方、制御部１１は、優先動作を行うために必要のない通信機能部に対応するＯＲ回路に対して、“０”の制御信号を出力する。
【００３５】
なお、通信装置１がメモリ１２に格納された優先動作を同時に複数種類行っている場合、制御部１１は、当該複数の優先動作のうち最も優先順位が高い優先動作に必要な通信機能部を、瞬断時に電力を供給する通信機能部として決定する。
【００３６】
＜通信装置１の動作＞
続いて、本実施の形態にかかる通信装置１の動作について、図５に示すフローチャートを参照して説明する。なお、メモリ１２は、瞬断発生時に優先して動作する優先動作とその優先順位が図４に示した内容で格納しているものとする。
【００３７】
まず、電源監視部１４は、電源アダプタ９５からの電源電圧を常時監視し、瞬断が発生したか否かを検出する（ステップＳ１０１）。
【００３８】
電源監視部１４が瞬断を検出しない場合（ステップＳ１０１：Ｎｏ）、つまり、通常の状態において、制御部１１は、通信装置１の動作状態が変化したか否かを判定する（ステップＳ１０２）。通信装置１の動作状態の変化は、例えば、各通信機能部の動作状態（アクティブ状態か非アクティブ（スリープ）状態か）を確認することにより、検出することができる。
【００３９】
通信装置１の動作状態が変化していない場合（ステップＳ１０２：Ｎｏ）、ステップＳ１０１に戻り、電源監視部１４は、電源電圧の監視を続ける。
【００４０】
通信装置１の動作状態が変化している場合（ステップＳ１０２：Ｙｅｓ）、制御部１１は、メモリ１２のテーブルを参照して、変化後の通信装置１の動作の優先順位が、変化前の通信装置１の動作の優先順位よりも高い（優先される）か否かを判定する（ステップＳ１０３）。
【００４１】
変化後の通信装置１の動作の優先順位が変化前の通信装置１の動作の優先順位よりも低い場合（ステップＳ１０３：Ｎｏ）、ステップＳ１０１に戻り、電源監視部１４は、電源電圧の監視を続ける。
【００４２】
変化後の通信装置１の動作の優先順位が変化前の通信装置１の動作の優先順位よりも高い場合（ステップＳ１０３：Ｙｅｓ）、制御部１１は、瞬断時に優先動作させる通信機能部を変更する。具体的には、制御部１１は、電源制御部１３への制御信号の設定を変更する（ステップＳ１０４）。そして、ステップＳ１０１に戻り、電源監視部１４は、電源電圧の監視を続ける。
【００４３】
一方、電源監視部１４が瞬断を検出した場合（ステップＳ１０１：Ｙｅｓ）、電源監視部１４は、電源制御部１３に瞬断を検出した旨を通知する（ステップＳ１０５）。具体的には、電源監視部１４は、瞬断検出信号を“１”から“０”に変更することにより、電源制御部１３に瞬断を通知する。
【００４４】
これにより、ＯＲ回路１３１ａ〜１３１ｄのうち、第１の入力端子に供給されている制御信号が“０”のＯＲ回路は、第２の入力端子に供給されている瞬断検出信号も０になるため、出力信号として“０”を出力する。つまり、優先動作に不要な通信機能部に対応するＯＲ回路は電源スイッチに“０”を出力する。このため、優先動作に不要な通信機能部に接続された電源スイッチはオフとなる（ステップＳ１０６）。その結果、優先動作に不要な通信機能部への電力の供給が停止（遮断）される（ステップＳ１０７）。
【００４５】
これに対して、ＯＲ回路１３１ａ〜１３１ｄのうち、第１の入力端子に供給されている制御信号が“１”のＯＲ回路は、第２の入力端子に供給された瞬断検出信号が０になったとしても、出力信号として“１”を出力する。つまり、優先動作に必要な通信機能部に対応するＯＲ回路は電源スイッチに“１”を出力する。このため、優先動作に必要な通信機能部に接続された電源スイッチはオンのままとなる。その結果、優先動作に必要な通信機能部への電力の供給が継続される。このとき、電源９０からの電力供給は停止しているため、コンデンサ１７に蓄電された電力が電源スイッチを介して、優先動作に必要な通信機能部へ供給される。
【００４６】
最後に、優先動作に必要な通信機能部の動作の継続中に、瞬断が終了した場合（ステップＳ１０８：Ｙｅｓ）、通信装置１は、瞬断の後も動作を継続する（ステップＳ１０９）。瞬断の終了後は電源９０からの電力の供給が再開されるため、優先動作に必要な通信機能部は、電源９０から電力の供給を受ける。また、瞬断の終了後は、電源監視部１４からの瞬断検出信号が“０”から“１”に変化する。このため、優先動作に不要な通信機能部に対応する電源スイッチもオンとなり、電源９０から優先動作に不要な通信機能部への電力供給が再開される。
【００４７】
一方、優先動作に必要な通信機能部の動作の継続中に、瞬断が終了しなかった場合（ステップＳ１０８：Ｎｏ）、つまり、瞬断が終了する前に、コンデンサ１７に蓄電された電力がなくなった場合、通信装置１は、動作を終了する（ステップＳ１１０）。
【００４８】
ここで、図６〜図８を参照して、具体的な動作の一例を説明する。図６〜図８は、各通信機能部（電話機能部１６ａ、無線通信機能部１６ｂ、ＬＡＮ機能部１６ｃ、及びネットワーク接続部１６ｄ）に対応する制御信号ａ〜ｄのレベルと、瞬断検出信号のレベルと、電源スイッチ１５ａ〜１５ｄの状態を示す。
【００４９】
図６は、電源９０が正常であり、ＬＡＮ機能部１６ｃとネットワーク接続部１６ｄとの通信が優先動作に設定されている状態を示している。制御部１１は、優先動作に必要な通信機能部であるＬＡＮ機能部１６ｃとネットワーク接続部１６ｄに対応する制御信号ｃ、ｄとして“１”を、ＯＲ回路１３１ｃ、１３１ｄの第１の入力端子に供給している。また、制御部１１は、優先動作に必要のない通信機能部である電話機能部１６ａと無線通信機能部１６ｂに対応する制御信号ａ、ｂとして“０”を、ＯＲ回路１３１ａ、１３１ｂの第１の入力端子に供給している。
【００５０】
電源９０の電源電圧が正常であるため、電源監視部１４は、瞬断検出信号として“１”を、ＯＲ回路１３１ａ〜１３１ｄの第２の入力端子に供給している。このため、ＯＲ回路１３１ａ〜１３１ｄは、第１の入力端子に供給されている制御信号ａ〜ｄのレベルに拘わらず、出力信号として“１”を、電源スイッチ１５ａ〜１５ｄに出力する。したがって、電源スイッチ１５ａ〜１５ｄは、全てオン状態となる。その結果、電話機能部１６ａ、無線通信機能部１６ｂ、ＬＡＮ機能部１６ｃ、及びネットワーク接続部１６ｄは、電源９０から電力の供給を受ける。
【００５１】
この状態において、通信装置１の動作が変化したとする。具体的には、電話機能部１６ａとネットワーク接続部１６ｄとを用いた緊急通話が開始したとする。制御部１１は、通信装置１の動作が変化したことを検出する（ステップＳ１０２：Ｙｅｓ）。そして、制御部１１は、変化後の動作（電話機能部１６ａとネットワーク接続部１６ｄとを用いた緊急通話）が、変化前の動作（ＬＡＮ機能部１６ｃとネットワーク接続部１６ｄとを用いた通信）よりも優先順位の高い動作か否かを判定する（ステップＳ１０３）。
【００５２】
図４のテーブルに示したように、変化後の動作は、変化前の動作よりも優先順位が高い。そのため、制御部１１は、メモリ１２を参照して、変化後の動作は、変化前の動作よりも優先される動作であると判定する（ステップＳ１０３：Ｙｅｓ）。そして、制御部１１は、電源制御部１３に供給している制御信号ａ〜ｄのレベルを変更する（ステップＳ１０４）。
【００５３】
具体的には、図７に示すように、制御部１１は、現在設定されている優先動作に必要な通信機能部である電話機能部１６ａ及びネットワーク接続部１６ｄに対する制御信号ａ、ｄとして“１”を、電源制御部１３に供給する。また、制御部１１は、優先動作に必要のない通信機能部である無線通信機能部１６ｂ及びＬＡＮ機能部１６ｃに対する制御信号ｂ、ｃとして“０”を、電源制御部１３に供給する。ただし、電源９０は正常であるため、電源監視部１４からの瞬断検出信号は“１”となる。そのため、ＯＲ回路１３１ａ〜１３１ｄの出力信号は“１”となる。つまり、電源スイッチ１５ａ〜１５ｄは、全てオンのままである。
【００５４】
この状態において、瞬断が発生したとする。電源監視部１４は、電源電圧の変化に基づいて、瞬断が発生したことを検出する（ステップＳ１０１：Ｙｅｓ）。電源監視部１４は、瞬断を検出すると、瞬断検出信号を“１”から“０”に変化させることにより、電源制御部１３に瞬断を通知する（ステップＳ１０５）。
【００５５】
これにより、図８に示すように、電源監視部１４からＯＲ回路１３１ａ〜１３１ｄの第２の入力端子に供給されている瞬断検出信号の全てが“０”となる。これにより、第１の入力端子に“０”の制御信号が供給されているＯＲ回路１３１ｂ、１３１ｃは、第１の入力端子及び第２の入力端子の信号がいずれも“０”となり、電源スイッチ１５ｂ、１５ｃに対して出力信号として“０”を出力する。その結果、優先動作に必要のない無線通信機能部１６ｂ及びＬＡＮ機能部１６ｃに対応する電源スイッチ１５ｂ、１５ｃはオフとなる（ステップＳ１０６）。
【００５６】
電源スイッチ１５ｂ、１５ｃがオフになると、無線通信機能部１６ｂ及びＬＡＮ機能部１６ｃへの電力の供給が停止される（ステップＳ１０７）。
【００５７】
一方、優先動作に必要な通信機能部である電話機能部１６ａ及びネットワーク接続部１６ｄに対応するＯＲ回路１３１ａ、１３１ｄは、制御部１１から第１の入力端子に“１”の制御信号ａ、ｄの供給を受けているため、第２の入力端子に供給される瞬断検出信号が“０”になったとしても、出力信号として“１”を出力する。このため、ＯＲ回路１３１ａ、１３１ｄは、“１”の出力信号を電源スイッチ１５ａ、１５ｄに供給し続ける。したがって、電源スイッチ１５ａ、１５ｄは、オンのままとなる。
【００５８】
このとき、瞬断中であるため、電話機能部１６ａ及びネットワーク接続部１６ｄは、電源９０から電力供給を受けることができない。しかしながら、電源スイッチ１５ａ、１５ｄの電源９０側に接続されたコンデンサ１７に溜まった電力が、電源スイッチ１５ａ、１５ｄを介して、電話機能部１６ａ及びネットワーク接続部１６ｄに供給される。これにより、優先動作に必要な電話機能部１６ａ及びネットワーク接続部１６ｄは、瞬断中も、コンデンサ１７に蓄電されている電力を用いて優先動作を継続することができる。なお、上記のように、瞬断中において、電源スイッチ１５ｂ、１５ｃはオフ状態となるため、コンデンサ１７に蓄電されている電力は、電話機能部１６ａ及びネットワーク接続部１６ｄのみに供給され、無線通信機能部１６ｂ及びＬＡＮ機能部１６ｃには供給されない。
【００５９】
そして、コンデンサ１７に蓄電されている電力を用いた優先動作の継続中に瞬断が終了した場合（ステップＳ１０８：Ｙｅｓ）、電源監視部１４は、瞬断検出信号を“０”から“１”に変化させることにより、電源電圧が正常に戻ったことを電源制御部１３に通知する。これにより、ＯＲ回路１３１ａ〜１３１ｄの全ての出力信号が“１”になり、電源スイッチ１５ａ〜１５ｄの全てがオンになる。その結果、全ての通信機能部に電力が供給されるため、通信装置１は、優先動作を継続すると共に、それ以外の動作も必要があれば復旧させる（ステップＳ１０９）。
【００６０】
一方、コンデンサ１７に蓄電されている電力を用いた優先動作の継続中に瞬断が終了しなかった場合（ステップＳ１０８：Ｎｏ）、つまり、通信装置１が瞬断中にコンデンサ１７の電力を使い切ってしまった場合、通信装置１は動作を停止する（ステップＳ１１０）。
【００６１】
ここで、比較例にかかる通信装置と本実施の形態にかかる通信装置１の瞬断時における動作可能時間を図９に示す。図９は、通信装置の各部の消費電力と、消費電力の合計と、動作可能時間と、を示す表である。なお、本実施の形態においては、コンデンサ１７の容量（蓄電された電力量）が４５μＷｈであるものとする。また、通信機能に関わらない部分の消費電力は１Ｗ、電話機能部１６ａの消費電力は１Ｗ、無線通信機能部１６ｂの消費電力は２Ｗ、ＬＡＮ機能部１６ｃの消費電力は０．５Ｗ、ネットワーク接続部１６ｄの消費電力は０．５Ｗであるものとする。
【００６２】
まず、比較例にかかる通信装置について説明する。比較例にかかる通信装置は、瞬断時においても、全ての通信機能部に電力が供給される。このため、通信装置は、通信機能に関わらない部分及び各通信機能部において、合計で５Ｗ消費する。したがって、４５μＷｈで動作可能な時間は約０．０３秒となる。
【００６３】
これに対して、本実施の形態にかかる通信装置１は、上述の例においては、瞬断時に無線通信機能部１６ｂ及びＬＡＮ機能部１６ｃには電力の供給を行わない。このため、通信装置１は、通信機能に関わらない部分、電話機能部１６ａ、及びネットワーク接続部１６ｄにおいて、合計で２．５Ｗ消費する。したがって、４５μＷｈで動作可能な時間は約０．０６５秒となる。つまり、通信装置１は、比較例の動作可能時間に比べて、２倍以上長い時間動作を実現できる。
【００６４】
以上のように、本実施の形態にかかる通信装置１の構成によれば、メモリ１２が予め優先動作を格納している。そして、制御部１１は、優先動作に必要な通信機能部を、電源制御部１３に制御信号を用いて通知する。電源制御部１３は、電源監視部１４から瞬断検出信号を用いて瞬断の発生の通知を受けた場合、優先動作に必要な通信機能部に対してのみ、コンデンサ１７から電力の供給を行い、優先動作に必要のない通信機能部に対する電力の供給を停止する。これにより、優先動作に必要な通信機能部のみがコンデンサ１７に蓄電された電力を消費する。このため、通信装置１は、全ての通信機能部が蓄電部に蓄電された電力を消費する構成に比べて、長い時間優先動作を継続することができる。したがって、蓄電部１０４が必要とする容量を低減でき、通信装置１は、低容量の蓄電部を用いて、瞬断時の通信機能部の動作時間を延ばすことができる。
【００６５】
また、優先する通信機能部を固定すると、他の通信機能部がより優先度の高い通信を行っている場合であっても、瞬断時には、より優先度の高い動作（通信）を行っている他の通信機能部が先に停止してしまう。しかしながら、本実施の形態においては、制御部１１は、動作の変化があった場合に、変化前の動作と変化後の動作との優先順位を比較し、変化後の動作の優先順位が高い場合に、優先動作の設定を変更する。これにより、通信装置１の動作の変化に応じて、瞬断時に電力が供給される通信機能部を動的に変更することができる。これにより、瞬断時において最も優先度が高い通信機能部の動作を継続させることができる。
【００６６】
＜実施の形態３＞
本発明にかかる実施の形態３について説明する。本実施の形態にかかる通信装置においては、瞬断時において動作を継続させる通信機能部の決定方法が上記の実施の形態と異なる。具体的には、瞬断時においてコンデンサ１７に蓄電された電力のみを用いて通信装置の動作を継続させたい時間を、ユーザが予め設定する。そして、瞬断時においては、通信装置は、予め設定された時間に基づいて、複数の通信機能部のうち、動作可能な通信機能部のみに対してコンデンサ１７から電力を供給する。なお、その他の構成については、上記の実施の形態の通信装置１と同様であるため、適宜説明を省略する。
【００６７】
まず、メモリ１２が格納する情報について説明する。本実施の形態のメモリ１２は、図４に示したテーブルに加えて、図１０に示すテーブルを格納する。図１０に示すテーブルは、通信機能に関わらない部分と各通信機能部が０．０５秒間で消費する電力量を格納する。なお、０．０５秒は、ユーザによって予め設定された時間である。
【００６８】
具体的には、通信機能に関わらない部分は、０．０５秒で１３．９μＷｈ消費する。電話機能部１６ａは、０．０５秒で１３．９μＷｈ消費する。無線通信機能部１６ｂは、０．０５秒で２７．８μＷｈ消費する。ＬＡＮ機能部１６ｃは、０．０５秒で６．９５μＷｈ消費する。ネットワーク接続部１６ｄは、０．０５秒で６．９５μＷｈ消費する。
【００６９】
次に、制御部１１による瞬断時において動作を継続させる通信機能部の決定処理について説明する。まず、制御部１１は、図１０に示したテーブルを参照して、通信機能に関わらない部分及び優先動作に必要な通信機能部が０．０５秒動作するために必要な電力量を算出する。そして、制御部１１は、図１０に示した消費電力量と、コンデンサ１７の容量（蓄電された電力量）と、を参照して、優先動作に必要のない通信機能部を追加できるか否かを計算する。制御部１１は、優先動作に必要のない通信機能部を追加できる場合には、優先動作に必要な通信機能部に加えて、優先動作に必要ない通信機能部も動作させることを決定する。
【００７０】
図１１を参照して、制御部１１による瞬断時において動作を継続させる通信機能部の決定処理について具体的に説明する。図１１は、通信装置の全機能を０．０５秒間動作させた場合の消費電力量と、優先動作に必要な通信機能部のみを０．０５秒間動作させた場合の消費電力量と、本実施の形態にかかる制御部１１が決定した通信機能部を０．０５秒間動作させた場合の消費電力量と、を示す。
【００７１】
全機能を動作させた場合、０．０５秒間に消費する電力量は合計で６９．５μＷｈとなる。そのため、コンデンサ１７が蓄電する電力量（４５μＷｈ）では足りない。したがって、通信装置は、０．０５秒間動作することはできない。
【００７２】
優先動作に必要な通信機能部のみを動作させた場合、０．０５秒間に消費する電力量は合計で３４．７５μＷｈとなる。そのため、コンデンサ１７が蓄電する電力量で足りる。したがって、通信装置は、０．０５秒間動作することができる。
【００７３】
このとき、コンデンサ１７の容量は４５μＷｈであるため、４５−３４．７５＝１０．２５μＷｈの電力量が余っている。本実施の形態にかかる制御部１１は、図１０を参照して、１０．２５μＷｈの電力量で０．０５秒間動作可能であり、優先動作に必要のない通信機能部を検索する。
【００７４】
図１１の例においては、制御部１１は、６．９５μＷｈで０．０５秒間動作できるＬＡＮ機能部１６ｃを選択している。つまり、制御部１１は、電源制御部１３（ＯＲ回路１３１ｃ）に供給する制御信号ｃを“１”にする。これにより、制御部１１は、瞬断時において、電話機能部１６ａ及びネットワーク接続部１６ｄに加えて、ＬＡＮ機能部１６ｃを動作させることを決定する。
【００７５】
制御部１１が決定した通信機能部のみを動作させた場合、０．０５秒間に消費する電力量は合計で４１．７μＷｈとなる。そのため、コンデンサ１７が蓄電する電力量で足りる。したがって、通信装置は、優先動作に必要な電話機能部１６ａ及びネットワーク接続部１６ｄに加えて、優先動作に不要なＬＡＮ機能部１６ｃも０．０５秒間動作させることができる。
【００７６】
以上のように、本実施の形態にかかる通信装置の構成によれば、メモリ１２が、各通信機能部が予め設定された時間だけ動作するために必要な容量を格納する。そして、制御部１１は、各通信機能部が予め設定された時間だけ動作するために必要な電力量と、コンデンサ１７の容量（蓄電された電力量）と、に基づいて、瞬断時に動作させる通信機能部を決定する。このため、優先動作に必要な通信機能部のみの動作だけでは、コンデンサ１７の容量が余った場合に、他の通信機能部も動作させることができる。その結果、瞬断時において、できる限り多くの通信機能部を動作させることができるため、通信装置の利便性が向上する。
【００７７】
なお、本発明は上記実施の形態に限られたものではなく、趣旨を逸脱しない範囲で適宜変更及び組み合わせをすることが可能である。例えば、通信機能部の個数や種類は、上述の実施の形態に記載したものに限られない。また、電源監視部は、瞬断以外の異常に起因する電源電圧の降下を検出してもよい。さらに、制御部１１は、瞬断時に優先動作させる通信機能部を、図４に示した優先順位とは異なる方法で決定してもよい。
【符号の説明】
【００７８】
１、１００  通信装置
１１  制御部
１２  メモリ
１３  電源制御部
１４  電源監視部
１５ａ〜１５ｄ  電源スイッチ
１６ａ  電話機能部
１６ｂ  無線通信機能部
１６ｃ  ＬＡＮ機能部
１６ｄ  ネットワーク接続部
１７  コンデンサ
９０  電源
９１  電話端末
９２  無線子機
９３  通信端末
９４  インターネット
１０１ａ〜１０１ｃ  通信機能部
１０２  電力管理部
１０３  電源監視部
１０４  蓄電部
【図１】
0006037457.tif 000002
【図２】
0006037457.tif 000003
【図３】
0006037457.tif 000004
【図４】
0006037457.tif 000005
【図５】
0006037457.tif 000006
【図６】
0006037457.tif 000007
【図７】
0006037457.tif 000008
【図８】
0006037457.tif 000009
【図９】
0006037457.tif 000010
【図１０】
0006037457.tif 000011
【図１１】
0006037457.tif 000012